(57)【要約】  【課題】主要な被写体とストロボ光が届かない範囲にある背景の双方に適正な露出値を自動的に算出して設定し、ストロボ撮影を実施することが可能なデジタルカメラを提供する。  【解決手段】第１の露光条件算出動作により、ストロボ部による予備的発光を伴なわずに上記実効的な露光時間及びＩＳＯ感度値を含む撮像素子による撮像における適正な露光条件を算出し設定する。また、第２の露光条件算出動作により、ストロボ部による予備的発光を伴なって第１の露光条件による実効的な露光時間及びＩＳＯ感度値を以って撮像素子における露光を行なって得た該撮像素子の光電変換出力のレベルに基づいて第１の露光条件算出動作によって設定された露光条件のうち少なくともＩＳＯ感度値を補正して当該露光条件を設定する。そして、第２の露光条件算出動作によって設定された露光条件によって本来の撮影動作としての撮像素子における露光を実行させる。【選択図】      図１
2004236300.tif 000002
【特許請求の範囲】
【請求項１】
自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備えたことを特徴とするデジタルカメラ。
【請求項２】
上記主制御部は、上記第２の露光条件算出動作として、上記第１の露光条件算出動作によって算出された実効的な露光時間をも補正して本来の撮影動作に適用する当該露光条件を算出するように構成されたものであることを特徴とする請求項１に記載のデジタルカメラ。
【請求項３】
上記主制御部は、上記第２の露光条件算出動作において上記実効的な露光時間としてその値を所定の限界値以内に収める旨の条件を課して第１の露光時間を算出し、且つ、当該条件を課さないで第２の露光時間を算出し、当該算出された第１の露光時間と第２の露光時間との差分に相応する上記ＩＳＯ感度値の所要調節量を算定し、少なくとも該算定値を勘案して上記第１の露光条件算出動作によって算出されたＩＳＯ感度値を補正して本来の撮影動作に適用する露光条件を決定するように構成されたものであることを特徴とする請求項１に記載のデジタルカメラ。
【請求項４】
上記主制御部は、上記第２の露光条件算出動作において上記実効的な露光時間としてその値を所定の限界値以内に収める旨の条件を課して上記第１の露光時間を算出し、且つ、当該条件を課さないで上記第２の露光時間を算出し、当該算出された第１の露光時間と第２の露光時間との差分に相応する上記ＩＳＯ感度値及び上記実効的な露光時間の各所要調節量を算定し、少なくとも該算定値を勘案して上記第１の露光条件算出動作によって算出されたＩＳＯ感度値及び実効的な露光時間を補正して本来の撮影動作に適用する露光条件を算出するように構成されたものであることを特徴とする請求項１に記載のデジタルカメラ。
【請求項５】
自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備え、且つ、上記主制御部は、上記実効的な露光時間としてその値を所定の限界値以内に制限することのない第１の制御モードにおいては上記第１の露光条件算出動作によって算出された実効的な露光時間をも補正して本来の撮影動作に適用する当該露光条件を算出し、上記実効的な露光時間としてその値を所定の限界値以内に制限する第２の制御モードにおいては上記実効的な露光時間としてその値を所定の限界値以内に収める旨の条件を課して第１の露光時間を算出し、更に、当該条件を課さないで第２の露光時間を算出し、当該算出された第１の露光時間と第２の露光時間との差分に相応する上記ＩＳＯ感度値の所要調節量を算定し、少なくとも該算定値を勘案して上記第１の露光条件算出動作によって算出されたＩＳＯ感度値を補正して本来の撮影動作に適用する露光条件を算出し決定するように構成されたものであることを特徴とするデジタルカメラ。
【請求項６】
自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備え、且つ、上記主制御部は、上記実効的な露光時間としてその値を所定の限界値以内に制限することのない第１の制御モードにおいては上記第１の露光条件算出動作によって算出された実効的な露光時間をも補正して本来の撮影動作に適用する当該露光条件を算出し、上記実効的な露光時間としてその値を所定の限界値以内に制限する第２の制御モードにおいては上記実効的な露光時間としてその値を所定の限界値以内に収める旨の条件を課して第１の露光時間算出し、更に、当該条件を課さないで第２の露光時間を算出し、当該算出された第１の露光時間と第２の露光時間との差分に相応する上記ＩＳＯ感度値及び上記実効的な露光時間の各所要調節量を算定し、少なくとも該算定値を勘案して上記第１の露光条件算出動作によって算出されたＩＳＯ感度値及び実効的な露光時間を各補正して本来の撮影動作に適用する露光条件を算出して決定するように構成されたものであることを特徴とするデジタルカメラ。
【発明の詳細な説明】
【発明の属する技術分野】
【０００１】
本発明は、連続発光が可能なストロボを有したデジタルカメラに関する。
【背景技術】
【０００２】
近年、パーソナルコンピュータの普及もあって、銀塩フィルムに代えてＣＣＤ等の固体撮像素子で被写体の光像を撮影することにより、画像イメージの電子データを直接得ることができるデジタルカメラが広く一般に普及している。
【０００３】
この種のデジタルカメラでは、固体撮像素子が銀塩フィルムに比較してラチチュード（ダイナミックレンジ）が狭いこと、及び固体撮像素子で得た画像の電気信号を増幅するアンプのゲインを調節することにより容易に感度調整を行なえることから、アンプのゲイン調整を含めた、より正確な露出制御が望まれている。
【０００４】
しかるに、ストロボ撮影を行なうに際して、レリーズボタンの操作に対応して本撮影を行なう前に予備的にストロボを発光（以下「プリ発光」と称する）させ、被写体からの反射光量を検出することでストロボの発光量が充分であるか否かを判断し、充分ではないと判断した場合には上記アンプのゲインを発光量の不足を補うように可変設定し（撮影感度を高めて）ストロボを発光しての本撮影を行なうようにしたカメラがある。
【０００５】
これは、ストロボの発光を伴なった撮影における正確な露出値（撮影画像の明るさ）を得るためになされるものであり、上記のように撮影感度を上げる場合、その撮影感度は、撮影直前にストロボを発光させない状態でＡＥ（自動露出）処理により決定した露出値をまったく考慮せずに決定する。
【０００６】
つまり、比較的カメラの近くに位置し、ストロボ撮影範囲にある主要な被写体の露出値に合わせてアンプのゲインが上げられた場合には、主要な被写体については露出値を適正にすることができる。しかしながら、ストロボ光が届かない範囲にある背景部分については露出がオーバーする方向に設定されてしまう。
【０００７】
また、アンプのゲインとストロボ発光量の関連付けによる露出制御を行なうようにした技術もすでに提案されている（例えば、特許文献１参照）。
【０００８】
しかしながら、この技術でも文献中の段落〔００３０〕で述べられているように、アンプのゲインは予め設定されている「所定量」を自動的に上げるか、あるいはユーザがマニュアル操作で設定するのみであり、ストロボ光の届かない背景部分の露出値に対応した適正なゲインを自動的に設定するようなものではない。
【０００９】
【特許文献１】特許第３３４８７９９号公報
【発明の開示】
【発明が解決しようとする課題】
【００１０】
上述した如く、ストロボのプリ発光により主要な被写体からの反射光を得て適正な露出を算出する上で、ストロボ光が届かない背景部分も考慮して画像全体を適正な露出で撮影するようにしたものは存在しなかった。
【００１１】
本発明は上記のような実情に鑑みてなされたもので、その目的とするところは、主要な被写体とストロボ光が届かない範囲にある背景の双方に適正な露出値を自動的に算出して設定し、ストロボ撮影を実施することが可能なデジタルカメラを提供することにある。
【課題を解決するための手段】
【００１２】
前述の課題を解決するため、本発明によるデジタルカメラは、次のような特徴的な構成を採用している。
【００１３】
（１）自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備えたデジタルカメラ。
【００１４】
（２）上記主制御部は、上記第２の露光条件算出動作として、上記第１の露光条件算出動作によって算出された実効的な露光時間をも補正して本来の撮影動作に適用する当該露光条件を算出するように構成されたものである上記（１）のデジタルカメラ。
【００１５】
（３）上記主制御部は、上記第２の露光条件算出動作において上記実効的な露光時間としてその値を所定の限界値以内に収める旨の条件を課して第１の露光時間を算出し、且つ、当該条件を課さないで第２の露光時間を算出し、当該算出された第１の露光時間と第２の露光時間との差分に相応する上記ＩＳＯ感度値の所要調節量を算定し、少なくとも該算定値を勘案して上記第１の露光条件算出動作によって算出されたＩＳＯ感度値を補正して本来の撮影動作に適用する露光条件を決定するように構成されたものである上記（１）のデジタルカメラ。
【００１６】
（４）上記主制御部は、上記第２の露光条件算出動作において上記実効的な露光時間としてその値を所定の限界値以内に収める旨の条件を課して上記第１の露光時間を算出し、且つ、当該条件を課さないで上記第２の露光時間を算出し、当該算出された第１の露光時間と第２の露光時間との差分に相応する上記ＩＳＯ感度値及び上記実効的な露光時間の各所要調節量を算定し、少なくとも該算定値を勘案して上記第１の露光条件算出動作によって算出されたＩＳＯ感度値及び実効的な露光時間を補正して本来の撮影動作に適用する露光条件を算出するように構成されたものである上記（１）のデジタルカメラ。
【００１７】
（５）自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備え、且つ、上記主制御部は、上記実効的な露光時間としてその値を所定の限界値以内に制限することのない第１の制御モードにおいては上記第１の露光条件算出動作によって算出された実効的な露光時間をも補正して本来の撮影動作に適用する当該露光条件を算出し、上記実効的な露光時間としてその値を所定の限界値以内に制限する第２の制御モードにおいては上記実効的な露光時間としてその値を所定の限界値以内に収める旨の条件を課して第１の露光時間を算出し、更に、当該条件を課さないで第２の露光時間を算出し、当該算出された第１の露光時間と第２の露光時間との差分に相応する上記ＩＳＯ感度値の所要調節量を算定し、少なくとも該算定値を勘案して上記第１の露光条件算出動作によって算出されたＩＳＯ感度値を補正して本来の撮影動作に適用する露光条件を算出し決定するように構成されたものであるデジタルカメラ。
【００１８】
（６）自己の撮像面上に結ばれる被写体の像に対応した光電変換出力を得る撮像素子と、該撮像素子における実効的な露光時間を制御するための露光時間制御部と、上記撮像素子の光電変換出力の増幅率に相応したカメラのＩＳＯ感度値を調節する感度調整機能部と、上記被写体に対して光を投射するためのストロボ部と、を有するデジタルカメラであって、上記ストロボ部による予備的発光を伴なわずに上記実効的な露光時間及びＩＳＯ感度値を含む上記撮像素子による撮像における適正な露光条件を算出する第１の露光条件算出動作、及び、上記ストロボ部による予備的発光を伴なう調光動作により上記第１の露光条件算出動作によって算出された露光条件のうち少なくとも上記ＩＳＯ感度値を補正して当該露光条件を算出する第２の露光条件算出動作、並びに、該第２の露光条件算出動作によって算出され決定された露光条件によって本来の撮影動作としての上記撮像素子における露光を実行させる動作、の各動作を統括的に制御するように構成された主制御部を備え、且つ、上記主制御部は、上記実効的な露光時間としてその値を所定の限界値以内に制限することのない第１の制御モードにおいては上記第１の露光条件算出動作によって算出された実効的な露光時間をも補正して本来の撮影動作に適用する当該露光条件を算出し、上記実効的な露光時間としてその値を所定の限界値以内に制限する第２の制御モードにおいては上記実効的な露光時間としてその値を所定の限界値以内に収める旨の条件を課して第１の露光時間算出し、更に、当該条件を課さないで第２の露光時間を算出し、当該算出された第１の露光時間と第２の露光時間との差分に相応する上記ＩＳＯ感度値及び上記実効的な露光時間の各所要調節量を算定し、少なくとも該算定値を勘案して上記第１の露光条件算出動作によって算出されたＩＳＯ感度値及び実効的な露光時間を各補正して本来の撮影動作に適用する露光条件を算出して決定するように構成されたものであるデジタルカメラ。
【発明の効果】
【００１９】
本発明によれば、ストロボ部の発光なしで得た露出値を基準として、少なくとも上述のＩＳＯ感度値を含むストロボ撮影時の露出値の自動補正を行なうようにしたため、主要な被写体とストロボ光が届かない範囲にある背景部分の双方に適正な露出値を自動的に算出設定した上でのストロボ撮影を実施することができる。
【実施例】
【００２０】
（第１の実施の形態）
以下本発明をデジタルカメラに適用した場合の第１の実施の形態について図面を参照して説明する。
【００２１】
〔第１の実施の形態の構成〕
図１は、同実施の形態に係るデジタルカメラ１の回路構成を示すものである。図中、１０はこのデジタルカメラ１のレンズ鏡胴であり、このレンズ鏡胴１０内に、レンズ光学系１１及び絞り１２が設けられる。
【００２２】
このレンズ鏡胴１０を介して得られた光像は、メカニカルシャッタ１３を透過した後に固体撮像素子であるＣＣＤ１４の撮像面上に結像される。
【００２３】
周知の通り、ＣＣＤ１４は、その露光時間中に画素毎の電荷を蓄積して出力するもので、その出力が相関二重サンプリング回路（撮像素子の出力をサンプリングするそれ自体は公知のものであり、ＣＤＳと略記）１５を介して、アンプ１６により適宜のゲインで増幅された後にＡ／Ｄ変換回路１７にてデジタル信号に変換され、画像処理回路１８に供給される。
【００２４】
この画像処理回路１８は、デジタル態様の画像信号を一旦バッファメモリ１９に記憶保持させ、このバッファメモリ１９に記憶保持した画像信号を読出して画素補間処理を含む所定の各種信号処理を実行する。
【００２５】
こうして各種信号処理を施された画像信号はＤ／Ａ変換器２０を介してアナログ値に変換された後にバックライトを備えたＴＦＴ−ＬＣＤパネル２１に供給されてモニタ表示される。
【００２６】
また、画像処理回路１８で得た画像信号は、圧縮／伸長回路２２にも供給され、指定された例えばＪＰＥＧ等の圧縮方法によりデータ量が適宜圧縮された後に、このデジタルカメラ１の記録媒体として使用される、フラッシュメモリで構成された挿脱自在のメモリカード２３に記録、保存される。
【００２７】
このメモリカード２３に保存された画像信号は、再生モード時に読出されると、圧縮／伸長回路２２にて記録時とは反対の方法により伸長され、ビットマップ状の画像信号に復元されるもので、この復元処理によって得られた画像信号は画像処理回路１８によりバッファメモリ１９に記憶され、既述のＤ／Ａ変換器２０を介してＴＦＴ−ＬＣＤパネル２１で表示される。
【００２８】
本例のデジタルカメラ１全体を統括的に制御するためのシステムコントローラ２４が設けられ、このシステムコントローラ２４に対して、既述のアンプ１６、画像処理回路１８及び既述のＣＣＤ１４を駆動するＣＣＤドライバ２５が接続される。
【００２９】
また、システムコントローラ２４は、第１乃至第３のモータドライバ２６〜２８、及びストロボ制御部２９とも接続される。
第１のモータドライバ２６は、上記メカニカルシャッタ１３を開閉動作させる第１のモータ（Ｍ）３０を駆動する。
第２のモータドライバ２７は、上記絞り１２にその調節動作を実行させる第２のモータ３１を駆動する。
第３のモータドライバ２８は、上記レンズ光学系１１を移動させる第３のモータ３２を駆動する。
ストロボ制御部２９は、システムコントローラ２４の指示に従ってストロボ発光部３３でのチャージ及び発光をスイッチング制御する。
【００３０】
また、システムコントローラ２４には、図示しない電源スイッチ、レリーズスイッチ、ズームスイッチ、ストロボスイッチ、カーソルスイッチ、メニュースイッチ等を含む操作スイッチ（ＳＷ）部３４からの操作信号が直接入力され、またその操作に伴なう動作状態や上記メモリカード２３での記録状態等を、バックライトを備えたモノクロタイプのＬＣＤパネルで構成される操作表示部３５にて表示出力するもので、このシステムコントローラ２４は以上のすべての回路の統括動作を行なうための制御プログラムを記憶した、不揮発性のメモリであるＥＥＰＲＯＭ３６と接続される。図１において破線で囲まれるようにして示された上述のＣＤＳ１５、アンプ１６、及びＡ／Ｄ変換回路１７はシステムコントローラ２４の制御下でそれらにおける利得によって本例のデジタルカメラ１におけるＩＳＯ感度値（後述）を決定する感度調整機能部ＳＣＵを構成する。
【００３１】
〔第１の実施の形態の動作〕
次に上記実施の形態の動作について説明する。
【００３２】
図２は、ストロボ光で人物等の主要な被写体を浮かび上がらせ、同時にスローシャッタで背景を写し込むスローシンクロモードでの撮影処理内容を示すもので、露出値の補正を含むすべての制御は該当する各部に対するシステムコントローラ２４による統括的な制御の下で実行される。
【００３３】
なお、上記操作スイッチ部３４のレリーズスイッチは、２段階のストロークで動作するものとし、その半押し操作による１段階目のストローク（以下文中及び図面では「１ｓｔレリーズ」と称する）操作でストロボ発光なしのＡＥ（自動露出）及びＡＦ（自動合焦）を実行し、完全に押しきった２段階目のストローク（以下文中及び図面では「２ｎｄレリーズ」と称する）でストロボ発光部３３を予備的に発光駆動（以下「プリ発光」と称する）させて露出値の補正を行なった後にストロボ発光部３３を再度発光駆動（以下「本発光」と称する）させて撮影を実行するものとする。
【００３４】
また、後述するシャッタ速度Ｔｖ、絞り値Ａｖ、アンプ１６のゲイン値に相応した撮影感度（ＩＳＯ感度）Ｓｖは、いずれも周知のＡＰＥＸ方式によるものであり、例えばシャッタ速度Ｔｖが「６」であれば「１／６０［秒］」に、絞り値Ａｖが「３」であれば「Ｆ２．８」に、ＩＳＯ感度値Ｓｖが「５」であれば「ＩＳＯ１００」に各対応する。
【００３５】
その処理当初には、レリーズスイッチが１ｓｔレリーズ操作されるのを待機し（ステップＳ１０１）、操作されたと判断した時点でストロボ発光部３３の発光駆動なしにＡＥ処理及びＡＦ処理を実行する（ステップＳ１０２，Ｓ１０３）。
【００３６】
このとき、ＡＥ処理で得たシャッタ速度をＴｖ、絞り値をＡｖ、上述のＩＳＯ感度値をＳｖと仮設定し、ＡＥロック及びＡＦロックの状態とする。このＡＥロックにおいてはストロボ発光の要否判断等も実行されるが、本発明の説明を簡潔に行なう便宜上、以下にはストロボの発光を伴なう場合についてのみ詳述する。
【００３７】
その後、レリーズスイッチが２ｎｄレリーズ操作されたか否か（ステップＳ１０４）、１ｓｔレリーズ操作が維持されているか否か（ステップＳ１０５）を繰返し判断することで、上記ＡＥ及びＡＦで得た撮影条件の情報を維持しながら２ｎｄレリーズ操作されるのを待機する。
【００３８】
ここで、１ｓｔレリーズ操作が維持されず、解除された場合には、ステップＳ１０５でこれを判断し、上記ＡＥ及びＡＦで得た、シャッタ速度Ｔｖ、絞り値Ａｖ、及びアンプ１６のＩＳＯ感度値Ｓｖ、並びに、合焦位置をすべて破棄し、再び上記ステップＳ１０１からの処理に戻る。
【００３９】
また、レリーズスイッチが２ｎｄレリーズ操作された場合、ステップＳ１０４でこれを判断し、直ちにストロボ発光部３３を発光駆動してのプリ発光を行なうと共に、それによる被写体からの反射光をＣＣＤ１４で受光してそのレベルを検出し（ステップＳ１０６）、検出したレベルからストロボ発光部３３での発光量が不足しているか否かを判断する（調光動作：ステップＳ１０７）。
【００４０】
この場合、プリ発光に伴う反射光の検出にあっては、ＣＣＤ１４の撮像面全体での受光レベルを一律に判断するものとしてもよいし、中央部のみ、あるいは中央部を含んだ所定の複数点の位置に重み付けを施して、予め設定したしきい値との比較判断により受光レベルの判断を行なうものとしてもよい。
【００４１】
上述の判断において、発光量は不足していないとの結論を得た場合には何ら問題ないが、発光量が不足していると判断した場合には、レベル差に対応してアンプ１６のゲイン値を増加することによりＩＳＯ感度値を上げる。このときの増加分をΔＳｖとし、ΔＳｖ＝ΔＴｖとなるシャッタ速度値Ｔｖの補正値ΔＴｖを設定する。
【００４２】
そして、上記ステップＳ１０２で仮設定したＩＳＯ感度値Ｓｖに上記ΔＳｖを加算したその和を新たにＩＳＯ感度値Ｓｖとして補正設定すると共に（Ｓｖ←Ｓｖ＋ΔＳｖ）、上記ステップＳ１０２で仮設定したシャッタ速度Ｔｖに上記ΔＴｖを加算したその和を新たにシャッタ速度Ｔｖとして補正する（Ｔｖ←Ｔｖ＋ΔＴｖ）（ステップＳ１０８）。
【００４３】
その後、その時点で設定されている合焦位置、シャッタ速度Ｔｖ、絞り値Ａｖ、及びＩＳＯ感度値Ｓｖに基づいてストロボ発光部３３を本発光させての撮影を実行する（ステップＳ１０９）。
【００４４】
そして、撮影で得た画像データを、画像信号処理回路１８から圧縮／伸長回路２２に送出してデータ量を圧縮した後に、メモリカード２３に記録、保存させ（ステップＳ１１０）、以上でスローシンクロ撮影に係る一連の処理を終了して、次のレリーズスイッチ操作に備えるべく上記ステップＳ１０１からの処理に戻る。
【００４５】
図３は、上記ステップＳ１０８での処理を経て撮影された画像Ｉを例示するものである。ここでは、主要な被写体Ｍが比較的デジタルカメラ１０に近い位置にあるために、ストロボのプリ発光で検出した内容に基づいてＩＳＯ感度値Ｓｖがアップされて適正露出で撮影される一方で、ストロボ光が届かない背景部分Ｂにおいても、そのＩＳＯ感度値Ｓｖのアップ分だけシャッタ速度が高速化されるため、露出オーバーとなることなく適正な露出で撮影される。
【００４６】
このように、ストロボ発光部３３のプリ発光により発光量が不足すると判断した場合には、主要な被写体が適正な露出を得られるように、ストロボ発光部３３の発光なしで得た露出値を基準として、ＩＳＯ感度値Ｓｖを適宜必要なレベル分だけ上げるように補正する。
【００４７】
これにより、主要な被写体は確実に適正な露出値でストロボ発光部３３の本発光により撮影されることとなる。
【００４８】
更にまた、ＩＳＯ感度値Ｓｖを上げた差分ΔＳｖ＝ΔＴｖであるものとし、シャッタ速度Ｔｖにこの値ΔＴｖを加算した和を新たなシャッタ速度Ｔｖとして補正設定する。
【００４９】
これにより、ＩＳＯ感度値Ｓｖの上昇分に対応した分だけシャッタ速度を高め、露光時間を短縮するものとしたことにより、ストロボ光が届かない背景部分の露出がオーバーしてしまうのを確実に防止できる。
【００５０】
なお、ストロボの発光時間が一般的に５［ｍｓｅｃ］（＝１／２００［秒］）
程度であることから、露光時間で上記ストロボの発光時間を確保するべく、上記ＩＳＯ感度値Ｓｖを上げる差分ΔＳｖに制限を設けるものとしてもよい。
【００５１】
その場合、そのストロボ発光時間ＴｖLIMIT ＝７．６４（５［ｍｓｅｃ］相当）であり、
「ΔＳｖ＞ＴｖLIMIT
−Ｔｖ」
である場合には、例えば「ΔＳｖ＝ＴｖLIMIT −Ｔｖ」としてΔＳｖの値を制限するものとしてもよい。
【００５２】
（第２の実施の形態）
以下本発明をデジタルカメラに適用した場合の第２の実施の形態について図面を参照して説明する。
【００５３】
なお、そのブロック図上での構成については基本的に上記図１に示したものと同様であるので、同一部分には同一符号を付けて、その図示及び説明は省略するものとする。
【００５４】
〔第２の実施の形態の動作〕
次に上記実施の形態の動作について説明する。
【００５５】
図４は、ストロボ光によって相対的に近距離にある人物等の主要な被写体を浮び上がらせるように撮影を行なうことを意図して、シャッタ速度が例えば広角側で１／３０［秒］（Ｔｖ＝５）、望遠側で１／１２５［秒］（Ｔｖ＝７）を手振れ限界として露出制御する場合のオート発光モードでの撮影動作を示すフローチャートである。茲に、「手振れ限界のシャッタ速度」とは、撮影された結果としての画像に観察者に視認され得るようなぶれが生じることのない限りでの低速側の限界値としてのシャッタ速度であり、その撮影に適用されたレンズの焦点距離（ｍｍ）の逆数に相応するものと一般的に理解されている。本実施の形態では、この手振れ限界のシャッタ速度（以下Ｔｖ（手ぶれ））を考慮した、露出値の補正を行なうように露出制御が実行される。このような露出制御を含むすべての制御はシステムコントローラ２４が主体となって制御系を統括的に制御することに依って実行される。
【００５６】
なお、上記操作スイッチ部３４のレリーズスイッチは、２段階のストロークで動作するものとし、１ｓｔレリーズ操作でストロボ発光なしのＡＥ（自動露出）及びＡＦ（自動合焦）を実行し、２ｎｄレリーズでストロボ発光部３３をプリ発光させて露出値の補正を行なった後に、本発光させて撮影を実行するものとする。
【００５７】
その処理当初には、レリーズスイッチが１ｓｔレリーズ操作されるのを待機し（ステップＳ２０１）、操作されたと判断した時点でストロボ発光部３３の発光駆動なしにＡＥ処理及びＡＦ処理を実行する（ステップＳ２０２，Ｓ２０３）。
【００５８】
このとき、ＡＥ処理で得たシャッタ速度をＴｖ、絞り値をＡｖ、ＩＳＯ感度値をＳｖと仮設定し、ＡＥロック及びＡＦロック状態とする。このＡＥロックにおいてはストロボ発光の要否判断等も実行される。撮影に際してのＡＥ演算処理の初期の段階で、シャッタ速度Ｔｖとして上述の手振れ限界のシャッタ速度Ｔｖ（手ぶれ）よりも低速のシャッタ速度ＴｖSTOFFが算出された場合、本実施の形態では、低輝度時でのストロボ自動発光動作を実行すべきと判定され、実際に設定されるシャッタ速度はＴｖ（手ぶれ）に制限される。仮に上述の低速のシャッタ速度ＴｖSTOFFで撮影した場合にはストロボ光が届かない背景の部分は適正な露出となる。一方、ストロボを発光させてシャッタ速度Ｔｖ（手ぶれ）で撮影した場合にはストロボ光が届く相対的に近距離にある人物等の主要な被写体については適切な露光が得られ、ストロボ光が届かない背景部分はシャッタ速度を低速のシャッタ速度ＴｖSTOFFとせずにＴｖ（手ぶれ）に制限した分に相応した露出不足（所謂アンダー）の傾向を呈する。
【００５９】
上述のようにしてシャッタ速度が選択され、その後、レリーズスイッチが２ｎｄレリーズ操作されたか否か（ステップＳ２０４）、１ｓｔレリーズ操作が維持されているか否か（ステップＳ２０５）を繰返し判断することで、上記ＡＥ及びＡＦで得た状態を維持しながら２ｎｄレリーズ操作されるのを待機する。
【００６０】
ここで、１ｓｔレリーズ操作が維持されず、解除された場合には、ステップＳ２０５でこれを判断し、上記ＡＥ及びＡＦで得た合焦位置、シャッタ速度Ｔｖ、絞り値Ａｖ、及びＩＳＯ感度値Ｓｖをすべて破棄し、再び上記ステップＳ２０１からの処理に戻る。
【００６１】
また、レリーズスイッチが２ｎｄレリーズ操作された場合、ステップＳ２０４でこれを判断し、直ちにストロボ発光部３３を発光駆動してのプリ発光を行なうと共に、それによる被写体からの反射光をCCD１４で受光してそのレベルを検出し（ステップＳ２０６）、検出したレベルからストロボ発光部３３での発光量が不足しているか否かを判断する（調光動作：ステップＳ２０７）。
【００６２】
この場合、プリ発光に伴う反射光の検出にあっては、CCD１４の撮像面全体での受光レベルを一律に判断するものとしてもよいし、中央部のみ、あるいは中央部を含んだ所定の複数点の位置に重み付けを施して、予め設定したしきい値との比較判断により受光レベルの判断を行なうものとしてもよい。
【００６３】
本実施の形態では、ストロボ発光によっては補填しきれない光量不足分に相応するものとして算出されたＩＳＯ感度値の増加分にそのまま対応した値まで感度アップの調節を行なわず、背景の明るさを考慮しつつＩＳＯ感度値増加を或る程度抑制しながら感度アップの調節を行なう。これにより、ストロボ光の届かない範囲にある背景部分の露出がオーバーとならずに適切な露出制御が行われ得る。
【００６４】
演算「Ｔｖ(手振れ)−ＴｖSTOFF 」を実行し、その結果がＩＳＯ感度値を増加する差分ΔＳｖより小さいか否かを判断する（ステップＳ２０８）。
【００６５】
ここで、該差分ΔＳｖより小さいと判断した場合には、上記演算「Ｔｖ(手振れ)−ＴｖSTOFF 」の結果を、新たにＩＳＯ感度値を増加する差分ΔＳｖとして更新設定した上で（ΔＳｖ←Ｔｖ(手振れ)−ＴｖSTOFF
）、この更新設定したΔＳｖにより上記ステップＳ２０２で仮設定したＩＳＯ感度値Ｓｖに該ΔＳｖを加算したその和を新たにＩＳＯ感度値Ｓｖとして補正設定する（Ｓｖ←Ｓｖ＋ΔＳｖ）（ステップＳ２０９）。
【００６６】
また、上記ステップＳ２０８で、演算「Ｔｖ(手振れ)−ＴｖSTOFF
」の結果がＩＳＯ感度値を増加する差分ΔＳｖと等しいか、より大きいと判断した場合には、上記差分ΔＳｖを用いてそのまま上記ステップＳ２０３で仮設定したＩＳＯ感度値Ｓｖに上記ΔＳｖを加算したその和を新たにＩＳＯ感度値Ｓｖとして補正する（Ｓｖ←Ｓｖ＋ΔＳｖ）（ステップＳ２１０）。
【００６７】
その後、その時点で設定されている合焦位置、シャッタ速度Ｔｖ、絞り値Ａｖ、及びＩＳＯ感度値Ｓｖに基づいてストロボ発光部３３を本発光させての撮影を実行する（ステップＳ２１１）。
【００６８】
そして、撮影で得た画像データを、画像処理回路１８から圧縮／伸長
回路２２に送出してデータ量を圧縮した後に、メモリカード２３に記録、保存さ
せ（ステップＳ２１２）、以上で手振れ限界のシャッタ速度を考慮したストロボ
発光モードでの一連の処理を終了して、次のレリーズスイッチ操作に備えるべく
上記ステップＳ２０１からの処理に戻る。
【００６９】
上述のように本実施の形態では、ストロボ発光によっては補填しきれない光量不足分に相応するものとして算出されたＩＳＯ感度値の増加分にそのまま対応した値まで感度アップの調節を行なわず、背景の明るさを考慮しつつＩＳＯ感度値増加を或る程度抑制しながら感度アップの調節を行なう。これにより、ストロボ光の届かない範囲にある背景部分の露出がオーバーとならずに適切な露出制御が行われ得る。
【００７０】
また、手振れの発生を確実に防止しながら、ストロボ撮影時の背景部分の明るさに応じてよりきめ細かく適正な露出を得ることができる。
【００７１】
〔第２の実施の形態の他の動作１〕
次に上記実施の形態の他の動作について説明する。
【００７２】
図５は、ストロボ光によって相対的に近距離にある人物等の主要な被写体を浮び上がらせるように撮影を行なうことを意図して、シャッタ速度が例えば広角側で１／３０［秒］（Ｔｖ＝５）、望遠側で１／１２５［秒］（Ｔｖ＝７）を手振れ限界として露出制御する場合のオート発光モードでの撮影動作を示すフローチャートである。茲に、「手振れ限界のシャッタ速度」とは、既述のとおりのものであり、この手振れ限界のシャッタ速度（以下Ｔｖ（手ぶれ））を考慮した、露出値の補正を含むすべての制御はシステムコントローラ２４が主体となって制御系を統括的に制御することに依って実行される。
【００７３】
なお、上記操作スイッチ部３４のレリーズスイッチは、２段階のストロークで動作するものとし、１ｓｔレリーズ操作でストロボ発光なしのＡＦ（自動合焦）及びＡＥ（自動露出）を実行し、２ｎｄレリーズでストロボ発光部３３をプリ発光させて露出値の補正を行なった後にストロボ発光部３３を本発光させて撮影を実行するものとする。
【００７４】
その処理当初には、レリーズスイッチが１ｓｔレリーズ操作されるのを待機し（ステップＳ３０１）、操作されたと判断した時点でストロボ発光部３３の発光駆動なしにＡＥ処理及びＡＦ処理を実行する（ステップＳ３０２，Ｓ３０３）。
【００７５】
このとき、ＡＥ処理で得たシャッタ速度をＴｖ、絞り値をＡｖ、ＩＳＯ感度値をＳｖと仮設定し、ＡＥロック及びＡＦロック状態とする。このＡＥロックにおいてはストロボ発光の要否判断等も実行される。撮影に際してのＡＥ演算処理の初期の段階で、シャッタ速度Ｔｖとして上述の手振れ限界のシャッタ速度Ｔｖ（手ぶれ）よりも低速のシャッタ速度ＴｖSTOFFが算出された場合、本実施の形態では、低輝度時でのストロボ自動発光動作を実行すべきと判定され、実際に設定されるシャッタ速度はＴｖ（手ぶれ）に制限される。仮に上述の低速のシャッタ速度ＴｖSTOFFで撮影した場合にはストロボ光が届かない背景の部分は適正な露出となる。一方、ストロボを発光させてシャッタ速度Ｔｖ（手ぶれ）で撮影した場合にはストロボ光が届く相対的に近距離にある人物等の主要な被写体については適切な露光が得られ、ストロボ光が届かない背景部分はシャッタ速度を低速のシャッタ速度ＴｖSTOFFとせずにＴｖ（手ぶれ）に制限した分に相応した露出不足（所謂アンダー）の傾向を呈する。
【００７６】
その後、レリーズスイッチが２ｎｄレリーズ操作されたか否か（ステップＳ３０４）、１ｓｔレリーズ操作が維持されているか否か（ステップＳ３０５）を繰返し判断することで、上記ＡＦ及びＡＥで得た撮影条件の情報を維持しながら２ｎｄレリーズ操作されるのを待機する。
【００７７】
ここで、１ｓｔレリーズ操作が維持されず、解除された場合には、ステップＳ３０５でこれを判断し、上記ＡＦ及びＡＥで得た合焦位置、シャッタ速度Ｔｖ、絞り値Ａｖ、及びＩＳＯ感度値Ｓｖをすべて破棄し、再び上記ステップＳ３０１からの処理に戻る。
【００７８】
また、レリーズスイッチが２ｎｄレリーズ操作された場合、ステップＳ３０４でこれを判断し、直ちにストロボ発光部３３を発光駆動してのプリ発光を行なうと共に、それによる被写体からの反射光をCCD１４で受光してそのレベルを検出し（ステップＳ３０６）、検出したレベルからストロボ発光部３３での発光量が不足しているか否かを判断する（調光動作：ステップＳ３０７）。
【００７９】
この場合、プリ発光に伴う反射光の検出にあっては、CCD１４の撮像面全体での受光レベルを一律に判断するものとしてもよいし、中央部のみ、あるいは中央部を含んだ所定の複数点の位置に重み付けを施して、予め設定したしきい値との比較判断により受光レベルの判断を行なうものとしてもよい。
【００８０】
しかるに、この検出結果により発光量は不足していないと判断した場合には何ら問題ないが、発光量が不足していると判断した場合には、次にその程度を判断する。
【００８１】
演算「Ｔｖ(手振れ)−ＴｖSTOFF 」を実行し、その結果がＩＳＯ感度値を増加する差分ΔＳｖより小さいか否かを判断する（ステップＳ３０８）。
【００８２】
ここで、該差分ΔＳｖより小さいと判断した場合には、上記差分ΔＳｖを用いてそのまま上記ステップＳ３０２で仮設定したＩＳＯ感度値Ｓｖに上記ΔＳｖを加算したその和を新たにＩＳＯ感度値Ｓｖとして補正設定すると共に（Ｓｖ←Ｓｖ＋ΔＳｖ）、上記差分ΔＳｖとストロボ発光部３３での発光なしのシャッタ速度ＴｖSTOFFとを加算した和を新たにシャッタ速度Ｔｖとして補正設定する（Ｔｖ←ΔＳｖ＋ＴｖSTOFF）（ステップＳ３０９）。
【００８３】
このシャッタ速度Ｔｖの演算は、実際には  
「Ｔｖ(手振れ)＋ΔＳｖ−（Ｔｖ(手振れ)−ＴｖSTOFF）」
として同式の第１項及び第３項の各「Ｔｖ(手振れ)」が相殺して導出されるものである。
【００８４】
ただし、上記ステップＳ３０８での判断基準となるＩＳＯ感度値ＳＶを増加する差分ΔＳｖが、
演算「ＴｖLIMIT
−ＴｖSTOFF 」
（ＴｖLIMIT ：ストロボ発光時間＝７．６４（５［ｍｓｅｃ］相当））
の結果より大きい場合には、シャッタ速度がストロボ発光時間の影響を受けてしまうことがあり得るため、制限を設けるべく上記ステップＳ３０９の処理に加えて、「ＴｖLIMIT −ＴｖSTOFF 」の結果を新たな差分ΔＳｖとして更新設定した上で上記ステップＳ３０２で仮設定したＩＳＯ感度値Ｓｖに上記ΔＳｖを加算したその和を新たにＩＳＯ感度値Ｓｖとして補正設定すると共に（Ｓｖ←Ｓｖ＋ΔＳｖ）、シャッタ速度Ｔｖを上記ＴｖLIMIT
として補正設定するものとしてもよい（Ｔｖ←ＴｖLIMIT ）（ステップＳ３０９′・・・図５のフローチャートはステップＳ３０９に替えて実行）。
【００８５】
また、上記ステップＳ３０８で、演算「Ｔｖ(手振れ)−ＴｖSTOFF
」の結果がＩＳＯ感度値を増加する差分ΔＳｖと等しいか、より大きいと判断した場合には、上記差分ΔＳｖを用いてそのまま上記ステップＳ３０３で仮設定したアンプ１６のゲイン値Ｓｖに上記ΔＳｖを加算したその和を新たにアンプ１６のゲイン値Ｓｖとして補正設定する（Ｓｖ←Ｓｖ＋ΔＳｖ）（ステップＳ３１０）。
【００８６】
その後、その時点で設定されている合焦位置、シャッタ速度Ｔｖ、絞り値Ａｖ、及びＩＳＯ感度値Ｓｖに基づいてストロボ発光部３３を本発光させての撮影を実行する（ステップＳ３１１）。
【００８７】
そして、撮影で得た画像データを、画像処理回路１８から圧縮／伸長回路２２に送出してデータ量を圧縮した後に、メモリカード２３に記録、保存させ（ステップＳ３１２）、以上で手振れ限界のシャッタ速度を考慮したストロボ発光モードでの一連の処理を終了して、次のレリーズスイッチ操作に備えるべく上記ステップＳ３０１からの処理に戻る。
【００８８】
上述のように本実施の形態では、ストロボ発光によっては補填しきれない光量不足分に相応するものとして算出されたＩＳＯ感度値の増加分にそのまま対応した値まで感度アップの調節を行なわず、背景の明るさを考慮しつつＩＳＯ感度値増加を或る程度抑制しながら感度アップの調節を行なう。これにより、ストロボ光の届かない範囲にある背景部分の露出がオーバーとならずに適切な露出制御が行われ得る。
【００８９】
加えて、ＩＳＯ感度値を増加する差分ΔＳｖに制限を設けることなく、上記第１の実施の形態で示したように必要によりシャッタ速度Ｔｖの補正設定を行なうようにした。
【００９０】
〔第２の実施の形態の他の動作２〕
次に上記実施の形態の他の動作について説明する。
【００９１】
図６は、ストロボ光によって相対的に近距離にある人物等の主要な被写体を浮び上がらせるように撮影を行なうことを意図して、シャッタ速度が例えば広角側で１／３０［秒］（Ｔｖ＝５）、望遠側で１／１２５［秒］（Ｔｖ＝７）を手振れ限界として露出制御する場合のオート発光モードでの撮影動作を示すフローチャートである。既述のように、「手振れ限界のシャッタ速度」とは、撮影された結果としての画像に観察者に視認され得るようなぶれが生じることのない限りでの低速側の限界値としてのシャッタ速度であり、その撮影に適用されたレンズの焦点距離（ｍｍ）の逆数に相応するものと一般的に理解されている。本実施の形態では、この手振れ限界のシャッタ速度（以下Ｔｖ（手ぶれ））を考慮した、露出値の補正を含むすべての制御はシステムコントローラ２４が主体となって制御系を統括的に制御することに依って実行される。
【００９２】
なお、上記操作スイッチ部３４のレリーズスイッチは、２段階のストロークで動作するものとし、既述の１ｓｔレリーズ操作でストロボ発光なしのＡＥ（自動露出）及びＡＦ（自動合焦）を実行し、既述の２ｎｄレリーズ操作でストロボ発光部３３をプリ発光させて露出値の補正を行なった後にストロボ発光部３３を本発光させて撮影を実行するものとする。
【００９３】
その処理当初には、レリーズスイッチが１ｓｔレリーズ操作されるのを待機し（ステップＳ４０１）、操作されたと判断した時点でストロボ発光部３３の発光
駆動なしにＡＦ処理及びＡＥ処理を実行する（ステップＳ４０２，Ｓ４０３）。
【００９４】
このとき、ＡＥ処理で得たシャッタ速度をＴｖ、絞り値をＡｖ、ＩＳＯ感度値をＳｖとし、特に絞り値Ａｖはそのまま設定する一方で、シャッタ速度Ｔｖ及びＩＳＯ感度値を共に仮設定し、ＡＦロック及びＩＳＯ感度値を含めたＡＥロックの状態とする。この実施の形態においても、ＡＥロックにおいてはストロボ発光の要否判断等も実行される。撮影に際してのＡＥ演算処理の初期の段階で、シャッタ速度Ｔｖとして上述の手振れ限界のシャッタ速度Ｔｖ（手ぶれ）よりも低速のシャッタ速度ＴｖSTOFFが算出された場合、本実施の形態では、低輝度時でのストロボ自動発光動作を実行すべきと判定され、実際に設定されるシャッタ速度はＴｖ（手ぶれ）に制限される。仮に上述の低速のシャッタ速度ＴｖSTOFFで撮影した場合にはストロボ光が届かない背景の部分は適正な露出となる。一方、ストロボを発光させてシャッタ速度Ｔｖ（手ぶれ）で撮影した場合にはストロボ光が届く相対的に近距離にある人物等の主要な被写体については適切な露光が得られ、ストロボ光が届かない背景部分はシャッタ速度を低速のシャッタ速度ＴｖSTOFFとせずにＴｖ（手ぶれ）に制限した分に相応した露出不足（所謂アンダー）の傾向を呈する。
【００９５】
その後、レリーズスイッチが２ｎｄレリーズ操作されたか否か（ステップＳ４０４）、１ｓｔレリーズ操作が維持されているか否か（ステップＳ４０５）を繰返し判断することで、上記ＡＥ及びＡＦで得た状態を維持しながら２ｎｄレリーズ操作されるのを待機する。
【００９６】
ここで、１ｓｔレリーズ操作が維持されず、解除された場合には、ステップＳ４０５でこれを判断し、上記ＡＥ及びＡＦで得た合焦位置、シャッタ速度Ｔｖ、絞り値Ａｖ、及びＩＳＯ感度値Ｓｖをすべて破棄し、再び上記ステップＳ４０１からの処理に戻る。
【００９７】
また、レリーズスイッチが２ｎｄレリーズ操作された場合、ステップＳ４０４でこれを判断し、直ちにストロボ発光部３３を発光駆動してのプリ発光を行なうと共に、それによる被写体からの反射光をCCD１４で受光してそのレベルを検出し（ステップＳ４０６）、検出したレベルからストロボ発光部３３での発光量が不足しているか否かを判断する（調光動作：ステップＳ４０７）。
【００９８】
この場合、プリ発光に伴う反射光の検出にあっては、CCD１４の撮像面全体での受光レベルを一律に判断するものとしてもよいし、中央部のみ、あるいは中央部を含んだ所定の複数点の位置に重み付けを施して、予め設定したしきい値との比較判断により受光レベルの判断を行なうものとしてもよい。
【００９９】
しかるに、この検出結果により発光量は不足していないと判断した場合には何ら問題ないが、発光量が不足していると判断した場合には、次にその程度を判断する。
【０１００】
すなわち、ストロボ発光時間に対応するシャッタ速度をＴｖLIMIT
とし（ＴｖLIMIT ＝７．６４（５［ｍｓｅｃ］相当））、またその時点で選択されているレンズ光学系１２の焦点距離に対応したシャッタ速度の手振れ限界値をＴｖ(手振れ)とする。
【０１０１】
これらによる演算「ＴｖLIMIT −Ｔｖ(手振れ)」を算出し、その結果がＩＳＯ感度値を増加する差分ΔＳｖより小さいか否かを判断する（ステップＳ４０８）。
【０１０２】
ここで、該差分ΔＳｖより小さいと判断した場合には、上記演算「ＴｖLIMIT−Ｔｖ(手振れ)」の結果を、上記ステップＳ４０３で仮設定したＩＳＯ感度値Ｓｖに加算したその和を新たにアンプ１６のゲイン値Ｓｖとして補正設定すると共に（Ｓｖ←Ｓｖ＋ＴｖLIMIT
−Ｔｖ(手振れ)）、上記ストロボ発光時間に対応するシャッタ速度ＴｖLIMIT を新たにシャッタ速度Ｔｖとして補正設定する（Ｔｖ←ＴｖLIMIT ）（ステップＳ４０９）。
【０１０３】
また、上記ステップＳ４０８で、演算「ＴｖLIMIT −Ｔｖ(手振れ)」の結果がＩＳＯ感度値を増加する差分ΔＳｖと等しいか、より大きいと判断した場合には、上記差分ΔＳｖを用いてそのまま上記ステップＳ４０３で仮設定したＩＳＯ感度値Ｓｖに上記ΔＳｖを加算したその和を新たにＩＳＯ感度値Ｓｖとして補正設定すると共に（Ｓｖ←Ｓｖ＋ΔＳｖ）、上記ステップＳ４０２で仮設定したシャッタ速度Ｔｖに上記ΔＳｖを加算したその和を新たにシャッタ速度Ｔｖとして補正設定する（Ｔｖ←Ｔｖ＋ΔＳｖ）（ステップＳ４１０）。
【０１０４】
その後、その時点で設定されている合焦位置、シャッタ速度Ｔｖ、絞り値Ａｖ、及びＩＳＯ感度値Ｓｖに基づいてストロボ発光部３３を本発光させての撮影を実行する（ステップＳ４１１）。
【０１０５】
そして、撮影で得た画像データを、画像処理回路１８から圧縮／伸長回路２２に送出してデータ量を圧縮した後に、メモリカード２３に記録、保存させ（ステップＳ４１２）、以上で手振れ限界のシャッタ速度を考慮したストロボ発光モードでの一連の処理を終了して、次のレリーズスイッチ操作に備えるべく上記ステップＳ４０１からの処理に戻る。
【０１０６】
上述の実施の形態によれば、ストロボの発光量の不足に対応するものとして算出されたＩＳＯ感度値の増加を確保しながら、ストロボ光の届かない領域に属する背景部分の露出をオーバーにすることなく適切なＩＳＯ感度値の調整が可能になる。更に、ストロボの発光量不足は主要被写体の距離が遠くなるほど大きくなり、ＩＳＯ感度値の所要増加量も大きくなる（即ち、主要被写体の距離に応じて、所要の感度増加量は変化する）。本実施の形態では、このような現象による影響を抑制して、背景の露出レベルが変わらないようにシャッタ速度を制御するようにしている。
【０１０７】
したがって、手振れの発生を確実に防止しながら、ストロボ撮影時の背景部分の明るさに応じてよりきめ細かく適正な露出を得ることができる。
【０１０８】
加えて、そのカメラの固有値である、ストロボ発光時間に対応するシャッタ速度ＴｖLIMIT 、その時点で選択されているレンズ光学系１２の焦点距離に対応したシャッタ速度の手振れ限界値Ｔｖ(手振れ)を撮影条件の一つとして考慮した制御状態を判断できる。
【０１０９】
そのため、制御に要する演算処理が容易となり、２ｎｄレリーズ操作がなされてプリ発光から本発光での撮影に移行する際のレリーズタイムラグを短縮することができる。
【０１１０】
尚、上述においては、ＩＳＯ感度値を調節する感度調整機能部は、ＣＤＳ１５、アンプ１６、及びＡ／Ｄ変換回路１７を含んでなる回路部（感度調整機能部ＳＣＵ）によって構成される例について説明した。これらの実施の形態において、感度調整機能部ＳＣＵでのＩＳＯ感度値を調節は主としてアンプ１６における利得の調整によってＩＳＯ感度値の調整を行なうように構成され得る。しかしながら、本発明の思想はこの例の限りに限定されるものではない。例えば、ＩＳＯ感度値の調整は既述のような例の他、システムコントローラ２４の制御下でその他の回路部（例えば画像処理回路１８）における信号利得を制御するように構成することもできる。
その他、本発明は上記実施の形態に限らず、その要旨を逸脱しない範囲内で種々変形して実施することが可能であるものとする。
【０１１１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１１２】
【図１】本発明の第１の実施の形態に係るデジタルカメラの回路構成を示すブロック図。
【図２】同実施の形態に係るスローシンクロ設定時の撮影処理内容を示すフローチャート。
【図３】同実施の形態に係る撮影画像を例示する図。
【図４】本発明の第２の実施の形態に係るデジタルカメラの手振れ限界発光設定時の撮影処理内容を示すフローチャート。
【図５】同実施の形態に係る手振れ限界発光設定時の他の撮影処理内容を示すフローチャート。
【図６】同実施の形態に係る手振れ限界発光設定時の他の撮影処理内容を示すフローチャート。
【符号の説明】
【０１１３】
１      デジタルカメラ
１０    レンズ鏡胴
１１    レンズ光学系
１２    絞り
１３    メカニカルシャッタ
１４    ＣＣＤ
１５    ＣＤＳ
１６    アンプ
１７    Ａ／Ｄ変換回路
１８    画像処理回路
１９    バッファメモリ
２０    Ｄ／Ａ変換器
２１    ＴＦＴ−ＬＣＤパネル
２２    圧縮／伸長回路
２３    メモリカード
２４    システムコントローラ
２５    ＣＣＤドライバ
２６〜２８  モータドライバ
２９    ストロボ制御部
３０〜３２  モータ（Ｍ）
３３    ストロボ発光部
３４    操作スイッチ（ＳＷ）部
３５    操作表示部
３６    ＥＥＰＲＯＭ
Ｂ      背景部分
Ｉ      画像
Ｍ      主要な被写体
【図１】
2004236300.tif 000003
【図２】
2004236300.tif 000004
【図３】
2004236300.tif 000005
【図４】
2004236300.tif 000006
【図５】
2004236300.tif 000007
【図６】
2004236300.tif 000008